(57)【要約】  本発明は、物体に接合されるとき、マイクロワイヤの反射率を変調することによって物体のワイヤレス検出を可能にする巨大磁気インピーダンスを有する８０〜２５０ミクロンのマイクロワイヤの形の磁気素子を備えるタグを説明する。検出は、１から２０ＧＨｚの間の周波数を有する電磁波と、低周波数磁場（０．０１〜５０Ｈｚ）とを放射し、マイクロワイヤの反射率の変調を検出するシステムを使用することによって実施される。したがって、１ｍを超える距離の物体が検出され得る。【選択図】図２
2019514130.tif 000002
【特許請求の範囲】
【請求項１】
磁気的に軟質なマイクロワイヤ（能動素子）を備えるタグであって、前記磁気的に軟質なマイクロワイヤが、８０から２５０ミクロンの直径を有し、巨大磁気インピーダンス特性を有し、１０から２０Ｏｅの間の横異方性を有する非双安定ヒステリシスループを有し、１０から５０，０００ＭＨｚまでの周波数および０から２５Ｏｅの間の振幅で低周波数励磁器磁場について１から５Ｏｅの間の保磁力を有し、その高周波数での電気共振周波数が、１から２０ＧＨｚの間の励起周波数について、その幾何学的パラメータによって調整される、タグ。
【請求項２】
好ましくは、１００ミクロン超の直径を有する磁気ワイヤまたは磁気テープまたは磁性粉の形の別の磁気的に硬質な素子を備え、前記別の磁気的に硬質な素子の残留磁気が、前記磁気的に軟質なマイクロワイヤの近傍で、励磁器磁場の周波数で、前記保磁力の周りで磁場を生み出すようなものである、請求項１に記載のタグ。
【請求項３】
前記タグが使用されると、強力な磁場を印加することによってその磁化の状態が修正され、前記タグが非活動化され得るので、前記硬質な磁気素子が、前記タグの非活性体として働く、請求項２に記載のタグ。
【請求項４】
前記マイクロワイヤが、例えばリング、正方形、または矩形の形の、１つまたは複数のターンを有する、延長マイクロワイヤまたは閉マイクロワイヤでよい、請求項１から３のいずれか一項に記載のタグ。
【請求項５】
前記マイクロワイヤの寸法が３０から１ｃｍの間に含まれ、前記リングの直径が０．５から１０ｃｍの間であり、前記矩形の辺が０．５から１０ｃｍの間であり、粉末マイクロワイヤの長さが１から５ｍｍの間である、請求項４に記載のタグ。
【請求項６】
前記マイクロワイヤの長さが、３ＧＨｚの周波数について５ｃｍであり、１．５ＧＨｚの周波数について１０ｃｍである、請求項１から５のいずれか一項に記載のタグ。
【請求項７】
前記低周波数励磁器磁場の前記周波数が増大するとき、前記マイクロワイヤの前記保磁力が増大し、１から２０Ｈｚの間の前記マイクロワイヤの保磁力に関連する低周波数磁場について、反射率の最大変動が生み出される、請求項１から６のいずれか一項に記載のタグ。
【請求項８】
前記マイクロワイヤの組成が、アモルファスまたは結晶構造を有する鉄およびコバルトに基づく、請求項１に記載のタグ。
【請求項９】
前記マイクロワイヤが、ＦｅｘＣｏａ−ｘ−ｙＮｉｙＳｉｚＢｗＭｔ（ただし、ａ＋ｚ＋ｗ＋ｔ＝１００、７０≦ａ−ｘ−ｙ≦７５、０≦ｘ＋ｙ≦５、０≦ｚ＋ｗ≦２５、０≦ｔ≦３、Ｍ＝Ｎｂ、Ｍｏ、Ｈｆ）の組成を有する、請求項８に記載のタグ。
【請求項１０】
２０から５０％の間の前記マイクロワイヤの前記磁気インピーダンスが、０から１０％の間の前記マイクロワイヤのナノ結晶化率によって制御される、請求項８または９に記載のタグ。
【請求項１１】
前記マイクロワイヤが、ほぼゼロである磁気ひずみ定数を有し、前記磁気ひずみ定数の値が、−１ｐｐｍから−０．０５ｐｐｍの間に含まれ、異方性磁場が１０Ｏｅ以上かつ２０Ｏｅ以下であり、前記金属コアの直径が、３０から２５０ミクロンの間に含まれる値であり、保磁力が０．５から２５０Ｏｅ（０．０１から５０Ｈｚの間の低周波数励磁器磁場の周波数について）であり、これらの幾何形状の電気共振周波数が、１から２０ＧＨｚの周波数間隔で、その幾何学的パラメータによって調整される、請求項８から１０のいずれか一項に記載のタグ。
【請求項１２】
物体の検出のために請求項１から１１のいずれか一項に記載されるタグの使用。
【請求項１３】
２メートルを超える距離での物体の検出のための請求項１２に記載の使用。
【請求項１４】
物体の長距離検出のためのシステムであって、前記物体が請求項１から１１のいずれか一項に記載のタグを有し、
１から２０ＧＨｚの間の周波数を有する波を送信する送信アンテナに接続された送信センサと、
検出のエリア内の連続的磁場が重ね合わされる低周波数交番変調を有する磁場の生成のために１０から５０，０００ＭＨｚの間に含まれる低周波数信号を生成する発生器システムと、
それぞれ連続的磁場と低周波数磁場の重ね合せによって変調される前記タグのマイクロワイヤの反射率の変動を収集する受信機システムと、
前記送信デバイス、前記受信機、および前記低周波数信号発生器に接続されたコントローラシステムと
を備える、システム。
【請求項１５】
床にカモフラージュすることができ、使用される前記マイクロワイヤの異方性磁場未満の磁場を生成するコイルに給電する別の直流（ＤＣ）が重ね合わされる低周波数正弦波信号によって給電される第１の電気回路を備え、前記電流が、前記タグ上に配置された軟質磁気マイクロワイヤの周期的な磁化および減磁を可能にし、システムが、選ばれたマイクロワイヤの電気共振周波数と周波数が一致するように、送信アンテナと受信アンテナの両方によって高周波数信号を送信および受信するための第２の回路を備え、さらに、前記信号を処理し、検出しきい値を確立するための手段を備える、請求項１４に記載の検出システム。
【請求項１６】
使用されるべき前記低周波数磁場の前記周波数が、検出されるべき前記磁気マイクロワイヤの前記保磁力の前記周波数に伴う放出によって決定される、請求項１４または１５に記載の検出システム。
【請求項１７】
前記低周波数磁場の前記生成が、前記床にカモフラージュされるコイルによって行われる、請求項１４から１６のいずれか一項に記載の検出システム。
【請求項１８】
前記波の前記生成および検出が、前記床にカモフラージュされるコイルによって行われる、請求項１４から１６のいずれか一項に記載の検出システム。
【請求項１９】
請求項１５から１８のいずれか一項に記載のシステムを使用する、物体の長距離検出のための方法であって、前記物体の前記検出が、連続的磁場と低周波数磁場との重ね合せにより、マイクロワイヤの反射率を変調することによって行われ、
１から２０ＧＨｚの間の周波数を有する電磁波を送信すること、
１０から５０００ＭＨｚの周波数と、０から２５Ｏｅの間の振幅とを有する交番低周波数磁場を生成すること、
使用される前記マイクロワイヤの異方性磁場未満の磁場を生成する前記交番低周波数磁場と直流（ＤＣ）を重ね合わせること、
前記低周波数磁場の時間および周波数の関数として前記マイクロワイヤの前記反射率を測定すること
を含む、方法。
【請求項２０】
前記マイクロワイヤの前記反射率の変調が、前記マイクロワイヤの存在下でのＧＨｚ波の変調を含み、その検出が、低周波数磁場にさらされる磁気能動素子の存在下で、ＧＨｚの変調波により、アンテナによって行われる、請求項１９に記載の方法。
【請求項２１】
最大検出が、前記低周波数磁場の可能な限り小さい周波数について生成される、請求項１９に記載の方法。
【発明の詳細な説明】
【技術分野】
【０００１】
本発明は、電磁場による物体の検出の分野内にある。より詳細には、本発明は、どちらも磁気的な能動素子および補足素子によって長距離でワイヤレスに検出可能であるタグ、ならびに前記タグを使用する物体のためのシステムおよび検出方法に関する。
【背景技術】
【０００２】
本発明は、活動化または非活動化され得る特定のタグを取り囲むＧＨｚ波の反射率の磁気現象の影響に基づく、物体の長距離電子的検出のためのシステムと、検出システムおよび検出システムの方法とに関する。
【０００３】
磁気材料に基づいて物品を検出するためのシステムは良く知られている。特許ＦＲ第７６３６８１号は、このタイプの第１のデバイスを示す。記載のデバイスは、交番磁場にさらされるとき、他のタイプの金属から来るものとは明らかに異なる検出器内の高調波を含む、パーマロイタイプの軟質磁気材料製のテープの使用に基づく。
【０００４】
テープの形のアモルファス磁気材料は、磁場の存在下または非存在下での適切な熱処理によって物品の電子的検出のための機器で使用されるように最適化され得る、低い保磁力および高い磁化率を有する。特許ＷＯ第０２１３２１０号は、ＣｏＮｉＦｅＳｉＢＣに基づく組成の使用に関する。
【０００５】
特許ＵＳ第４６６００２５号は、最小の長さ７．６ｃｍを有するアモルファス双安定磁気ワイヤがタグとして使用される検出器システムを示す。このケースでは、交番磁場が空間の特定の領域に印加され、前記磁場の摂動が検出されるとき、アラームが活動化される。これは、タグがその領域内に内に導入され、磁場の値がワイヤの臨界磁場を超え、磁化を逆転させるときに生成される。これはスナップアクションとして知られている。これらのシステムの一欠点は、長いタグの長さである。
【０００６】
特許ＵＳ第４６６００２５号のタグで得られ、その高い高調波成分および高いパルスに関係する利点に加えて、これらのタイプの磁気材料を非活動化する方式を見つけることが重要である。特許ＵＳ第４６８６５１６号は、アモルファス磁気材料の結晶化に基づいてそのようにする方式を示す。これは、電流、またはレーザなどの放射エネルギーのどちらかを印加することによって、タグの少なくとも一部を結晶化温度より上の温度まで加熱することによって行われる。本明細書で説明される方法のいくつかは、タグに接触することなくタグを非活動化することを可能にするが、電流または放射エネルギーを注意深く印加する必要がある。
【０００７】
特許ＵＳ第４９８０６７０号は、物品の電子的監視のための磁気マーカを示し、タグが、印加された磁場のしきい値未満の値について「スナップアクション」を有し、さらに、タグが容易に非活動化される。
【０００８】
特許ＵＳ第５３１３１９２号は、文書ＵＳ第４９８０６７０号で説明されているものと同等のタグを開発するが、より安定し、制御可能である。アモルファス磁気テープの処理条件は同一であるが、さらに、タグが、処理中に、タグを活動化および非活動化することを可能にする所定の磁場にさらされる。より具体的には、本発明のタグは、メインコアを構成する軟質磁気材料と、第２の硬質または半硬質磁性材料とを含む。このタグは、第２の材料がそれぞれ活動化状態および非活動化状態を有するように調整される。活動化状態では、タグは双安定ヒステリシスを示し、非活動化状態では、タグはバルクハウゼンジャンプのないヒステリシスループを有する。
【０００９】
特許ＵＳ第６７４７５５９号は、低い保磁度（１０Ａ／ｍ未満）および高い透磁率（２０，０００超）を有する磁気マイクロワイヤに基づく、物品の電子的検出のための永久タグに関する。使用されるマイクロワイヤの長さは３２ｍｍ以下である。このケースでは、高い透磁率が、印加される十分に低い値の磁場について、大きい振幅の高い高調波を可能にし、それによってタグを区別することがより容易になる。
【００１０】
特許ＵＳ第７８５２２１５は、特許ＵＳ第６７４７５５９号に記載のものと同等の誘導方法に従って機能するために、磁気マイクロワイヤに基づくタグを有する。
【００１１】
記載のシステムのすべては高調波の生成に基づき、検出の距離に明らかな制限を有し、９０ｃｍに制限される。別の制限は、他のタイプの金属から来る信号を検出する際の困難である。
【００１２】
特許ＵＳ第４５１０４８９号によって特許請求されるような、磁気弾性共鳴に基づく、より長い距離であるが、決して２メートル以上ではない距離での検出を可能にするシステムが存在する。このシステムは、機械共振周波数の交番磁場の存在下で振動する磁気ひずみ素子に基づく磁気機械タグを使用する。同等であるが、磁気弾性マイクロワイヤを使用するシステムは、特許ＥＳ２３１７７６９（Ｂ１）号によって説明されているものである。
【００１３】
これらのシステムの別の制限は、使用されるタグのサイズである。
【００１４】
特許ＵＳ第６２３２８７９号では、物体の遠隔検出が、特定の相対位置での少なくとも２つの素子から構成されるタグに基づき、それによってサイズおよびタグの幾何形状が制限される。
【００１５】
したがって、より小さいサイズを有し、より長い距離で容易に検出可能であるタグを開発することが求められている。
【発明の概要】
【００１６】
物体の長距離検出のためのタグ、システム、および方法。
【００１７】
本特許は、長距離（１メートル超）で検出可能である短い長さのセンサ素子としての磁気マイクロワイヤの可能性を提示し、その検出能は、その保磁力と周波数との間の関係によって調整される。
【００１８】
本発明は、能動素子の反射率を変調することによってタグのワイヤレス長距離検出を可能にする、どちらも磁気的な、能動素子、および任意選択で補足素子から構成されるタグに関する。
【００１９】
能動素子は、８０から２００ミクロンの範囲の直径を有する軟質磁気マイクロワイヤであり、１から２０ＧＨｚの間の励起周波数について、検出すべき素子の長さが３０から１ｃｍの間となるように、より精密には、３ＧＨｚの周波数について５ｃｍのセンサ素子が使用され、１．５ＧＨｚについて１０ｃｍのセンサ素子が使用されるように、巨大磁気インピーダンスおよび長さがアンテナの送信周波数によって調整される。
【００２０】
マイクロワイヤの保磁力は、この低周波数磁場の周波数に依存する。前記磁気マイクロワイヤは、１０から２０Ｏｅの範囲の横異方性を有する非双安定ヒステリシスループを有さなければならず、前記磁気マイクロワイヤの保磁力は、１０から５０，０００ＭＨｚの間であるが決してそれより大きくはない低周波数励磁器磁場の周波数について、１から５Ｏｅの間に含まれる。
【００２１】
マイクロワイヤは、例えばリング、正方形、または矩形の形の、１つまたは複数のターンを有する、延長マイクロワイヤまたは閉マイクロワイヤでよく、またはマイクロワイヤ粉末の形でよい。
【００２２】
より詳細には、能動素子は、鉄およびコバルトに基づく組成、例えばＦｅｘＣｏａ−ｘ−ｙＮｉｙＳｉｚＢｗＭｔ（ただし、ａ＋ｚ＋ｗ＋ｔ＝１００、７０≦ａ−ｘ−ｙ≦７５、０≦ｘ＋ｙ≦５、０≦ｚ＋ｗ≦２５、０≦ｔ≦３、Ｍ＝Ｎｂ、Ｍｏ、Ｈｆ）を有するホウケイ酸ガラス被覆磁気マイクロワイヤであり、磁気ひずみ定数がほぼゼロであり、その値が−１ｐｐｍから−０．０５ｐｐｍの間に含まれ、異方性磁場が１０Ｏｅ以上かつ２０Ｏｅ以下であり、金属コアの直径が、３０から２５０ミクロンの間に含まれる値である。金属コアの組成は、（０．００１から５０Ｈｚの間であり、決してそれより大きくはない低周波数励磁器磁場周波数について）０．５から２５０Ｏｅの間の保磁力を有し、巨大磁気インピーダンス特性を有し、ワイヤ幾何形状、リング、コイル、矩形回路、または磁気マイクロワイヤ粉末を有するアモルファスまたはナノ結晶でよく、それらの幾何形状の電気共振周波数は、その幾何形状パラメータによって、１から２０ＧＨｚの周波数間隔で調整される。
【００２３】
ワイヤの寸法は３０から１ｃｍの間に含まれ、リングの直径は０．５から１０ｃｍの間であり、矩形の辺は０．５から１０ｃｍの間であり、粉末マイクロワイヤの長さは１から５ｍｍの間である。
【００２４】
マイクロワイヤの低磁気異方性のために、磁場を印加することによって透磁率は容易に修正される。
【００２５】
さらに、低周波数磁場の周波数が増大するとき、能動素子のワイヤの保磁力が増大し、１から２０Ｈｚの間の能動素子の保磁力に関連する低周波数磁場について、能動素子の反射率の最大変動が生み出される。
【００２６】
能動素子の保磁力は、ワイヤの組成および結晶化熱処理によって制御される。
【００２７】
２０から５０％の間の磁気インピーダンス効果が、０から１０％の間のナノ結晶化率によって制御可能である。
【００２８】
第２の素子（補足素子）は、１００ミクロン超の直径を有する磁気ワイヤ、または磁気テープもしくは磁性粉でよく、第２の素子の残留磁気は、軟質マイクロワイヤの近傍では、励磁器磁場の周波数で、軟質マイクロワイヤの保磁力の周りに磁場を生み出すようなものである。
【００２９】
マイクロワイヤの保磁力と同等のマイクロワイヤの近傍での磁場を生成するような、磁化を伴うこの第２の磁気素子の存在は、マイクロワイヤの反射率を最大にする。
【００３０】
さらに、この第２の素子は、タグの非活性体として使用され得る。タグが使用されると、強力な磁場を印加することによってその磁化の状態が修正され、タグが非活動化され得るからである。
【００３１】
本発明の別の態様は、前述のマイクロワイヤのワイヤレス検出による、物体についての長距離検出システムに関する。検出システムは、送信アンテナに接続された送信システムと、受信アンテナに接続された受信システムとからなる。送信アンテナは、０．５から６ＧＨｚの間の固定周波数の波を送信する。波の電場が検出されるべき素子の軸方向となることを保証するために回転式に、または１方向で使用される偏波器と、１０から５０，０００ＭＨｚ（決してそれよりは大きくない）の間に含まれ、検出のエリア内の連続的磁場が任意選択で重ね合わされる、低周波数での交番変調の磁場の生成のためにコイルに接続される低周波数信号発生器システムとが利用される。上記のすべては、送信デバイスと、受信機と、低周波数信号発生器とに接続されたコントローラシステムによって制御される。受信システムは、それぞれ連続的磁場と低周波数磁場の重ね合せによって変調される、検出されるべき素子の反射率の変動を収集する。
【００３２】
検出システムは、別の直流（ＤＣ）が重ね合わされ得る低周波数正弦波信号によって給電される第１の電気回路を備え、第１の電気回路は、床にカモフラージュすることのできるコイルに給電し、コイルは、使用されるマイクロワイヤの異方性磁場未満の磁場を生成する。前記電流は、タグ上に配置された軟質磁気マイクロワイヤの周期的な磁化および減磁を可能にする。システムは、送信アンテナと受信アンテナの両方によって、選ばれたマイクロワイヤの電気共振周波数に周波数が一致するように高周波数信号を送信および受信するために使用される第２の回路を備える。さらに、システムは、信号を処理し、検出しきい値を確立するための手段を備える。
【００３３】
本発明の第３の態様は、記載のタグを使用する物体の長距離検出方法に関する。この方法は、磁気マイクロワイヤによる、送信アンテナによって送信される波の変調に基づく。この変調は、交番低周波数磁場の存在下でのマイクロワイヤの反射率の係数の変動のためであり、その保磁力と一致するマイクロワイヤの透磁率の最大の変動が生成されるときに最大となる。
【００３４】
この特定のケースについて、磁化率による電磁波の分散の係数は、以下によって同時に修正される。
電気回路（言い換えれば、検出システムの第１の回路）によって生成され、マイクロワイヤの周期的磁化に関係する、０．０１から５０Ｈｚの間の周波数を有する交番磁場の周波数。検出のための最適な周波数は常に、ワイヤのマイクロ構造によって調整される特定の値未満である。アモルファスマイクロ構造のケースでは、最適な周波数は１０Ｈｚ未満となり、結晶マイクロ構造のケースでは、２０Ｈｚとなる。
電気回路（言い換えれば、検出システムの第１の回路）によって生成され、マイクロワイヤの周期的磁化に関係する、０．０１から５０Ｈｚの間の周波数を有する交番磁場の振幅。検出のための最適な振幅は、ワイヤの異方性磁場未満であり、異方性磁場の半分から異方性磁場自体の間に含まれる。
【００３５】
タグの検出は、その能動素子（マイクロワイヤ）の反射率を、１から２０ＧＨｚの間の周波数の電磁波に関して変調することによって、そのような目的で、０．０１から５０Ｈｚの間でよい低周波数磁場を使用して行われる。磁場の振幅は０から２５Ｏｅの間に含まれる。
【００３６】
マイクロワイヤの反射率の変調は、この低周波数磁場の周波数と共に行われ、能動素子によって受ける巨大磁気インピーダンスの効果の結果である。
【００３７】
さらに、能動素子の反射率の最大の変動が、幾何形状（ワイヤのケースでは長さ、リングのケースでは直径、および正方形または矩形のケースでは辺の長さ）によって調整される、その電気共振周波数について生み出される。
【００３８】
能動素子の反射率のこの変調は、前記素子の存在下でのＧＨｚ波の変調を含み、変調の検出は、低周波数磁場にさらされる磁気能動素子の存在下でのＧＨｚの変調波によりアンテナによって行われる。
【００３９】
低周波数磁場の生成は、例えば、床にカモフラージュされた矩形コイルによって行われ得、ＧＨｚ波の生成および検出は、天井のアンテナのカモフラージュされたシステムによって行われ得る。
【図面の簡単な説明】
【００４０】
【図１】軟質磁気ワイヤ（１’）および（１１’）を備えるワイヤ（１）、リング（２）、（２’）、および（２’’）、正方形（３）、（３’）、および（３’’）、ならびにマイクロワイヤ粉末（４）という異なるタグ設定に対応する図である。
【図２】マイクロワイヤ（５）を備えるタグ、送信アンテナ（６）、受信アンテナ（７）、放射波（８）、変調波（９）、低周波数磁場有するコイル（１０）、関数発生器（１１）、増幅器（１２）、電流計（１３）、およびベクトル信号アナライザ（１４）という各素子を備える電磁回路の図である。
【図３】１０および１５ｃｍの２つのマイクロワイヤに関連する、１０Ｈｚでの誘導の方法によって得られるヒステリシスループを、このケースではそれぞれ１７Ｏｅ（１５）および２２Ｏｅ（１６）の値を有する異方性磁場と、１Ｏｅ（１７）の保磁力の必要とされるパラメータと共に示す図である。
【図４】１０Ｈｚ（１８）、２０Ｈｚ（１９）、３０Ｈｚ（２０）、４０Ｈｚ（２１）、および５０Ｈｚ（２２）の異なる周波数での１５ｃｍワイヤに対応するヒステリシスループを示す図である。
【図５】１５ｃｍのワイヤについての周波数に伴う保磁力の放出を示す図である。
【図６】アンテナ（６）によって検出された時間の関数としての反射率と、２．３７ＧＨｚのアンテナによって送信される波周波数および印加される２．５Ｏｅの低周波数磁場についての低周波数磁場の周波数に関連する変調波（９）とを示す図である。
【図７】２．３７ＧＨｚ波についての２．５Ｏｅの低周波数磁場の周波数の関数としての最大反射率の放出を示す図である。
【図８】連続的磁場が印加されるときの１０から５０Ｈｚの間に含まれる周波数についての最大反射率の放出を示す図である。
【図９】ワイヤが減磁され（ａ）、飽和される（ｂ）、一方が軟質であり、他方が硬質である２つのマイクロワイヤについての時間の関数としての最大反射率を示す図である。
【発明を実施するための形態】
【００４１】
本発明の範囲を限定するものではない以下の例によって本発明がさらに示される。
【００４２】
１５ｃｍの長さの２つの平行ワイヤによって形成されるタグが選択され、タグの組成はＦｅＣｏＳｉＢであり、ワイヤの一方はアモルファス構造を有し、他方は結晶ワイヤ構造を有する。ヒステリシスループが異なる周波数で実施され、タグの保磁力が周波数の関数として決定される（図３）。
【００４３】
送信アンテナおよび受信アンテナが、２．３７ＧＨｚの周波数で働くベクトル信号アナライザに接続される。コイルにより、２．５Ｏｅの最大振幅を有する１０から５０Ｈｚの間の低周波数磁場が生成される。減磁された硬質ワイヤについて、低周波数磁場の周波数による時間の関数として反射率の放出（図９）と、低周波数の値と重ね合わされるＤＣ場の値に伴う反射率の放出（図８）とが測定され、磁化された硬質ワイヤについて、反射率が周波数の関数として測定される（図９）。
【００４４】
マイクロワイヤの検出は、検出された信号の振幅と、マイクロワイヤがないときに観測されるものに対する、検出された信号の変動とに基づいて行われる。低周波数磁場の周波数が小さいほど、信号の振幅は大きい。磁気的に硬質なワイヤの存在下で、この信号の電圧を低減することが可能であり、その結果、タグが非活動化される。
【図１】
2019514130.tif 000003
【図２】
2019514130.tif 000004
【図３】
2019514130.tif 000005
【図４】
2019514130.tif 000006
【図５】
2019514130.tif 000007
【図６】
2019514130.tif 000008
【図７】
2019514130.tif 000009
【図８】
2019514130.tif 000010
【図９】
2019514130.tif 000011
【国際調査報告】
2019514130.tif 000012
2019514130.tif 000013
2019514130.tif 000014
2019514130.tif 000015